(57)【要約】  【課題】  排水配管の周囲のスペースを使わずに有機化合物を分解できる排水配管を提供する。  【解決手段】  システムキッチン１は、システムキッチン１の一方の表面に広がる天板２と、天板２に設けられたシンク３と、シンク３の底面に形成された排水口４と、排水口４を介してシンク３に接続される排水配管１０と、からなる。  これらのうち、この排水配管１０は、トラップ２０の内部の表面にポリアニリン膜３０が形成されている。このポリアニリン膜３０は、排水口４から流れ込んだ水が接触すると、その水に溶け込んだ溶存酸素に電子を与え、活性酸素を連続的に発生させる。【選択図】図１
2008223416.tif 000002
【特許請求の範囲】
【請求項１】
水を排出するための排水配管であって、
該排水配管は、その内側の表面にポリアニリン膜が形成されている
ことを特徴とする排水配管。
【請求項２】
前記ポリアニリン膜は、有機酸をドーパントとして含有している
ことを特徴とする請求項１に記載の排水配管。
【請求項３】
前記有機酸は、スルホン酸基，ホスホン酸基，硝酸基，カルボキシル基，スルフィン酸基，および水酸基のうち少なくとも一つを含む化合物である
ことを特徴とする請求項２に記載の排水配管。
【請求項４】
前記排水配管は、水を貯留するトラップ部が形成されており、
前記ポリアニリン膜は、前記トラップ部に形成されている
ことを特徴とする請求項１〜３のいずれかに記載の排水配管。
【請求項５】
前記排水配管は、水を貯留するトラップ部が形成されており、
前記ポリアニリン膜は、前記排水配管における前記トラップ部より上流に位置する部分に形成されている
ことを特徴とする請求項１〜３のいずれかに記載の排水配管。
【請求項６】
流し台の排水に使用されるものである
ことを特徴とする請求項１〜５のいずれかに記載の排水配管。
【請求項７】
請求項１〜５のいずれかに記載の排水配管を備える
ことを特徴とする流し台。
【請求項８】
請求項７に記載の流し台を備える
ことを特徴とするシステムキッチン。
【発明の詳細な説明】
【技術分野】
【０００１】
本発明は、水を排出するための排水配管，その排水配管を備える流し台，および，その流し台を備えるシステムキッチンに関する。
【背景技術】
【０００２】
従来、システムキッチン等の流し台には排水配管が設置されており、流し台にて調理器具，食器，食料品などの洗浄が行われると、洗浄に使用された水が排水配管を介して排出される。この排水には、油脂や炭水化物等の有機化合物が含まれており、そのような有機化合物は排水配管の内面に付着して、臭気の発生や細菌の繁殖の原因となっていた。
【０００３】
そのような問題を解決するために、排水口付近に取り付けられた放電装置によりオゾンや活性酸素を発生させ、それらにより殺菌および脱臭を行う装置が提案されている（特許文献１参照）。この装置では、オゾン気流および活性酸素気流を発生させ、排水配管に発生した細菌などの殺菌や、臭気の元となる分子を分解することによる脱臭などを実現する。
【特許文献１】登録実用新案第３０６２２５１号公報
【発明の開示】
【発明が解決しようとする課題】
【０００４】
上述した装置は、オゾンや活性酸素を気流に乗せて排水口に向けて放出することで、排水口にオゾンや活性酸素を到達させる。そのため、上述した装置は排水口に近い場所に設置する必要がある。しかしながら、通常流し台の排水配管の周囲は、そこでの作業が快適なものとなるように出来る限り広いスペースを設けているが、排水配管の周囲に上述した装置を設置すると、流し台での作業をする際にその装置が邪魔になり、作業を快適に行えなくなるという問題があった。
【０００５】
本発明は、このような問題に鑑みてなされたものであり、排水配管の周囲のスペースを使わずに有機化合物を分解できる排水配管，流し台およびシステムキッチンを提供することを目的とする。
【課題を解決するための手段】
【０００６】
上述した問題を解決するためになされた請求項１に記載の排水配管は、その内側の表面にポリアニリン膜が形成されてなるものである。
上記ポリアニリン膜は、水が接触すると、その水に溶け込んだ溶存酸素に電子を与え、活性酸素であるスーパーオキシドアニオンラジカル（・Ｏ2-）を連続的に発生させる。また、このスーパーオキシドアニオンラジカル（以降、単に活性酸素という）の一部は、次に示す式のように反応して過酸化水素水を発生させる。
２・Ｏ2-＋２Ｈ+→Ｈ2Ｏ2＋Ｏ2
このように発生した活性酸素および過酸化水素水は、有機化合物を酸化分解する機能を有している。
【０００７】
よって、上述したようにポリアニリン膜が形成された排水配管であれば、その排水配管に排水が流れ込むと、その排水とポリアニリン膜が接触した際に活性酸素および過酸化水素水を発生させることができる。そのため、オゾンや活性酸素を発生するための装置を別に設置する必要がなくなり、排水配管の周囲のスペースを使わずに、排水に含まれる有機化合物および排水配管内に付着した有機化合物を分解することができる。
【０００８】
このように、排水配管内の有機化合物を分解できることにより、臭気の発生や細菌の繁殖の要因となる有機化合物を除去できるので、排水配管の周囲を清潔に保つことができる。
【０００９】
なお、このポリアニリン膜は、排水中の溶存酸素にポリアニリン膜が有している電子を与えることにより活性酸素を発生させる。よって、ポリアニリン膜に還元電流を供給する電源等の設備は不要であると共に、電気等のエネルギーを消費せずに上述した効果を得ることができる。
【００１０】
なお、具体的なポリアニリンの種類は、下記の化学式１または化学式２に示されるポリアニリンまたはポリアニリンの誘導体からなるものを用いることができる。
【００１１】
【化１】
2008223416.tif 000003
【００１２】
【化２】
2008223416.tif 000004
上記化学式において、ｎは２以上５０００以下の範囲の整数である。また、ｘとｙは、ｘ＋ｙ＝１および０≦ｙ≦０．５を同時に満たす数である。
【００１３】
ここで、上述したポリアニリン膜に、活性酸素を発生させるための電子を多く保持させるためには、請求項２に記載の排水配管のように、ポリアニリン膜が有機酸をドーパントとして含有している構成とするとよい。
【００１４】
このように構成された排水配管であれば、ドープされた有機酸が電子を放出するので、ポリアニリン膜全体として放出可能な電子の総量が増える。
よって、有機酸がドープされていないポリアニリン膜と比較して、より長期間にわたって電子を放出して活性酸素を発生させることができるので、より長期間有機化合物の分解を行うことができる。
【００１５】
なお、ポリアニリンに有機酸がドープしたものとして、下記の化学式３または化学式４に示されるポリアニリンまたはポリアニリンの誘導体からなるものを用いることができる。
【００１６】
【化３】
2008223416.tif 000005
【００１７】
【化４】
2008223416.tif 000006
上記化学式において、Ａは陰イオンを表す。ｎは２以上５０００以下の範囲の整数である。また、ｘとｙは、ｘ＋ｙ＝１および０≦ｙ≦０．５を同時に満たす数である。
【００１８】
なお、上述した有機酸としては、請求項３に記載のように、スルホン酸基，ホスホン酸基，硝酸基，カルボキシル基，スルフィン酸基，および水酸基のうち少なくとも一つを含む化合物とするとよい。このような有機酸を用いることで、ポリアニリン膜の電子の放出量を増やすことができる。
【００１９】
ところで、排水配管のどの部分にポリアニリン膜を形成してもよいが、臭気の逆流を防止するトラップ部が形成されている排水配管であれば、請求項４に記載の排水配管のように、トラップ部に形成されていてもよい。
【００２０】
通常、トラップ部には、排水配管に流れ込む排水の一部が溜まる。そのため、上述した構成の排水配管であれば、トラップ部に溜まった水とポリアニリン膜の接触する時間が長くなるため、多くの活性酸素が発生することとなり、より有機化合物を分解する能力が向上する。また、トラップ部には常に水が留まるため、有機化合物も溜まり易い箇所であるが、その部分の有機化合物を確実に分解することで、より殺菌や脱臭の効果を向上することができる。
【００２１】
また、排水配管におけるポリアニリン膜を上記と別の箇所に形成する構成として、請求項５に記載の排水配管のように、トラップ部より上流に位置する部分に形成されていてもよい。
【００２２】
このように構成された排水配管であれば、排水配管の上流において活性酸素が発生することとなる。そのため、排水配管の上流から下流までの有機化合物を分解することができるので、排水配管の全体において殺菌や脱臭の効果を得ることができる。また、トラップ部より上部の配管に形成されたポリアニリン膜は、排水がその部分を通過していくときのみ排水と接触する。よって、排水と接触して活性酸素を発生する時間が、トラップ部に形成されたポリアニリン膜と比較して短くなることから、より長期間活性酸素を発生させることができる。
【００２３】
また、本発明の排水配管は、請求項６に記載のように、流し台の排水口に接続された流し台の排水配管として使用することで、流し台に流された排水に含まれる有機化合物の分解を行うことができ、流し台における悪臭の発生などを抑制することができる。
【００２４】
また、請求項７に記載の流し台は、上述した請求項１〜５のいずれかに記載の排水配管を備えているものであり、その流し台によって請求項１〜５に記載の排水配管の効果を得ることができる。
【００２５】
また、請求項８に記載のシステムキッチンは、上述した請求項７に記載の流し台を備えているものであり、そのシステムキッチンによって請求項１〜５に記載の排水配管の効果を得ることができる。
【発明を実施するための最良の形態】
【００２６】
以下に本発明の実施形態を図面と共に説明する。
（１）全体構成
本発明のシステムキッチン１は、図１に示すように、システムキッチン１の上面に広がる天板２と、天板２に設けられたシンク３と、シンク３の底面に形成された排水口４と、排水口４を介してシンク３に接続される排水配管１０と、からなる。
【００２７】
これらのうち、排水配管１０は、図１，図２に示すように、配管を屈曲させて下流側を上流側より地面から高い位置に戻した形状のトラップ２０が形成されている。シンク３内の水は、排水として排水口４を経由して排水配管１０に図２の矢印方向に流入し、屋外に排出されるが、排水の一部はトラップ２０に残る。
【００２８】
また、この排水配管１０は、トラップ２０の内部の表面にポリアニリン膜３０が形成されている。
（２）排水配管１０の作製
まず、ポリアニリンの合成を行う。氷冷浴中で十分に冷却した過硫酸アンモニウム１２ｇを含む１モル塩酸水溶液５０ｍｌを、同じく冷却したアニリンを約２．８ｇ含む１モル塩酸水溶液３００ｍｌに徐々に添加し、冷却を続けながら１時間３０分撹拌した。溶液は無色から緑青色に変化した。このとき、溶液中に上記化学式３にて陰イオンＡが塩素イオンである塩酸ドープ型のポリアニリンが生成した（上述した化学式３）。
【００２９】
上記方法により生じた生成物を吸引ろ過し、１モル塩酸水溶液とアセトンでよく洗浄した。次に、これを２８％アンモニア水に懸濁し、２４時間撹拌することで、上記化学式１で示される脱ドープ型のポリアニリンが得られた（上述した化学式１）。
【００３０】
次に、上記合成方法で得られた脱ドープ型のポリアニリン粉末４ｇを、カンファースルホン酸１ｇを溶解したＮＭＰ（Ｎ−メチル−２−ピロリドン）１００ｍｌに対し、凝集しないように気をつけながら少量ずつ溶かし込み、４％ドープ型ポリアニリン溶液を得た。
【００３１】
次に、排水配管１０内部の表面に上記４％ポリアニリン溶液を塗布し、１４０℃に保温された恒温槽に入れて２０分間乾燥し、表面にポリアニリン膜３０を形成した。
（３）作用・効果
ポリアニリン膜３０は、排水口４から流れ込んだ水（排水）が接触すると、その水に溶け込んだ溶存酸素に電子を与え、活性酸素であるスーパーオキシドアニオンラジカル（・Ｏ2-）を連続的に発生させる。また、このスーパーオキシドアニオンラジカル（以降、単に活性酸素という）の一部は、次に示す式のように反応して過酸化水素水を発生させる。
２・Ｏ2-＋２Ｈ+→Ｈ2Ｏ2＋Ｏ2
上述したように発生した活性酸素および過酸化水素水は、排水配管１０の内側表面に付着した有機化合物を酸化分解する。
【００３２】
よって、本実施形態の排水配管１０であれば、その排水配管１０に排水が流れ込むと、その排水とポリアニリン膜３０が接触した際に活性酸素および過酸化水素水を発生させることができるので、オゾンや活性酸素を発生するための装置を別に設置する必要がなくなる。そのため、天板２におけるシンク３周りのスペースなどを使わずに、排水に含まれる有機化合物および排水配管１０内に付着した有機化合物を分解することができる。その結果、臭気の発生や細菌の繁殖の要因となる有機化合物を除去できるので、排水配管１０の周囲を清潔に保つことができる。
【００３３】
また、このポリアニリン膜３０は、排水中の溶存酸素にポリアニリン膜３０が有している電子を与えることにより活性酸素を発生させる。よって、ポリアニリン膜３０に還元電流を供給する電源等の設備は不要であると共に、電気等のエネルギーを消費せずに上述した効果を得ることができる。
【００３４】
さらに、ドープされたスルホン酸が電子を放出するので、ポリアニリン膜３０全体として放出可能な電子の総量が増え、スルホン酸がドープされていないポリアニリン膜３０と比較して、より長期間にわたって電子を放出して活性酸素を発生させることができるので、より長期間有機化合物の分解を行うことができる。
【００３５】
また、上述した構成の排水配管１０であれば、トラップ２０に溜まった排水とポリアニリン膜３０の接触する時間が長くなるため、多くの活性酸素が発生することとなり、より有機化合物を分解する能力が向上する。また、トラップ２０は、常に水が留まるため、有機化合物の溜まり易い箇所であるが、その部分の有機化合物を確実に分解することで、より殺菌や脱臭の効果を向上することができる。
【００３６】
また、本実施例の排水配管１０は、システムキッチン１における流し台の排水口に接続して流し台の排水の排出に使用されているので、流し台に流された排水に含まれる有機化合物の分解を行うことができ、流し台における悪臭の発生や細菌の増殖などを抑制することができる。
（４）分解効果を確認する試験
上記（２）の方法で作製された排水配管片（脱ドープ型ポリアニリン２ｇ，カンファースルホン酸０．５ｇ相当）と水２０ｇを、内容積５００ｍＬの容器の中に入れ、ここにたばこの煙を導入し、密閉した。
【００３７】
一日放置した後に官能試験を実施したところ、その臭気は消失していた。
（５）変形例
以上、本発明の実施形態について説明したが、本発明は、上記実施形態に何ら限定されることはなく、本発明の技術的範囲に属する限り種々の形態をとり得ることはいうまでもない。
【００３８】
例えば、上記実施形態においては、トラップ２０の内部の表面にポリアニリン膜３０を形成する構成について例示した。しかし、排水配管１０の内部に形成されていればその具体的な位置は特に限定されない。
【００３９】
例えば、トラップ２０より上流に位置する部分（図２における上流部２２）においてポリアニリン膜３０が形成される構成であってもよい。
このように構成された排水配管１０であれば、排水配管１０の上流部２２において活性酸素が発生することとなる。そのため、排水配管１０の上流部２２からその下流に対して有機化合物の分解を行うことができるので、排水配管１０の全体において殺菌や脱臭の効果を得ることができる。また、上流部２２に形成されたポリアニリン膜３０は、排水がその部分を通過していくときのみ排水と接触する。よって、排水と接触して活性酸素を発生する時間が、トラップ２０に形成されたポリアニリン膜３０と比較して短くなることから、より長期間活性酸素を発生させることができる。
【００４０】
また、ポリアニリン膜３０が、トラップ２０および上流部２２の両方に形成される構成であってもよい。
また、上記実施形態においては、ドーパント種としてスルホン酸塩を用いる構成を例示した。しかし、ポリアニリン膜３０にドープされた状態で電子を放出できるものであれば、スルホン酸塩に限定されない。
【００４１】
たとえば、スルホン酸基，ホスホン酸基，硝酸基，カルボキシル基，スルフィン酸基，および水酸基の化合物などを用いてもよい。
また、上記実施形態において、排水配管１０は、システムキッチン１に備えられた流し台に接続される構成を例示したが、システムキッチンではない流し台に接続されていてもよく、また、風呂の排水溝や、トイレの排水口に接続される構成であってもよい。
【図面の簡単な説明】
【００４２】
【図１】本発明のシステムキッチン示す斜視図
【図２】排水配管を示す側面図
【符号の説明】
【００４３】
１…システムキッチン、２…天板、３…シンク、４…排水口、１０…排水配管、２０…トラップ、２２…上流部、３０…ポリアニリン膜
【図１】
2008223416.tif 000007
【図２】
2008223416.tif 000008